(57)【要約】【課題】ドットに近い自然な画素表示を可能にすることによって自然な画像が表示できるようにする。【解決手段】画素Ｐは、表示部Ｑ（ｉ，ｊ）と、水平方向でＱ（ｉ，ｊ）に隣接して配置された表示部Ｑ（ｉ，ｊ＋１）と、垂直方向でＱ（ｉ，ｊ）に隣接して配置された表示部Ｑ（ｉ＋１，ｊ）と、水平方向でＱ（ｉ＋１，ｊ）に隣接するとともに垂直方向でＱ（ｉ，ｊ＋１）に隣接して配置された表示部Ｑ（ｉ＋１，ｊ＋１）とによって構成され、表示部Ｑ（ｉ，ｊ）およびＱ（ｉ＋１，ｊ＋１）のそれぞれは、水平方向に長いＲ、Ｇ、Ｂ表示領域に分割され、表示部Ｑ（ｉ＋１，ｊ）およびＱ（ｉ，ｊ＋１）のそれぞれは、垂直方向に長いＲ、Ｇ、Ｂ表示領域に分割されている。【選択図】　図３
2004117532.tif 000002
【特許請求の範囲】
【請求項１】
それぞれの画素が複数の表示部に分割された液晶表示装置において、
上記表示部は、第１の表示部と、第１の方向で上記第１の表示部に隣接して配置された第２の表示部と、上記第１の方向に対して垂直な第２の方向で上記第１の表示部に隣接して配置された第３の表示部と、上記第１の方向で上記第３の表示部に隣接するとともに上記第２の方向で上記第２の表示部に隣接して配置された第４の表示部とによって構成され、
上記第１の表示部および上記第３の表示部のそれぞれは、互いに表示色が異なり、それぞれが上記第１の方向に長い領域である複数の表示領域を有し、
上記第２の表示部および上記第４の表示部のそれぞれは、互いに表示色が異なり、それぞれが上記第２の方向に長い領域である複数の表示領域を有する
ことを特徴とする液晶表示装置。
【請求項２】
請求項１記載の液晶表示装置において、
上記第１の表示部および上記第３の表示部のそれぞれは、上記第１の方向に長い緑色表示領域の上記第２の方向の両側に、上記第１の方向に長い赤色表示領域および上記第１の方向に長い青色表示領域を配置したものであり、
上記第２の表示部および上記第４の表示部のそれぞれは、上記第２の方向に長い緑色表示領域の上記第１の方向の両側に、上記第２の方向に長い赤色表示領域および上記第２の方向に長い青色表示領域を配置したものである
ことを特徴とする液晶表示装置。
【発明の詳細な説明】
【０００１】
【発明の属する技術分野】
本発明は、液晶表示装置に用いられるカラー液晶パネルに関し、複数の表示部に分割された画素において互いに異なる複数の表示色の表示領域の配置に関する。
【０００２】
【従来の技術】
液晶表示装置は大型化に伴い１画素を複数の表示部に分割する場合がある。例えば、カラー液晶パネルのそれぞれの画素を４つの表示部に分割し、それぞれの表示部は、例えば赤色（Ｒ）表示領域，緑色（Ｇ）表示領域，青色（Ｂ）表示領域に分割されており、画素内の複数のＲ表示領域は同じＲ映像信号で駆動され、複数のＧ表示領域は同じＧ映像信号で駆動され、複数のＢ表示領域は同じＢ映像信号で駆動される。
【０００３】
なお、画素を複数の表示部で構成しているのは、いずれかの表示部が故障したり、ゲートライン又はソースラインが断線しても、その画素全体が故障となるのを回避できるなどの理由からである。
【０００４】
図７は従来の液晶表示装置においての１６画素分（４ユニット分）の構成図である。図７において、ユニットｕ（ｖ，ｗ）は、４つの画素ｐ（ｍ，ｎ），ｐ（ｍ＋１，ｎ），ｐ（ｍ，ｎ＋１），ｐ（ｍ＋１，ｎ＋１）によって構成されている。同様に、ユニットｕ（ｖ＋１，ｗ）は、４つの画素ｐ（ｍ＋２，ｎ），ｐ（ｍ＋３，ｎ），ｐ（ｍ＋２，ｎ＋１），ｐ（ｍ＋３，ｎ＋１）によって構成され、ユニットｕ（ｖ，ｗ＋１）は、４つの画素ｐ（ｍ，ｎ＋２），ｐ（ｍ＋１，ｎ＋２），ｐ（ｍ，ｎ＋３），ｐ（ｍ＋１，ｎ＋３）によって構成され、ユニットｕ（ｖ＋１，ｗ＋１）は、４つの画素ｐ（ｍ＋２，ｎ＋２），ｐ（ｍ＋３，ｎ＋２），ｐ（ｍ＋２，ｎ＋３），ｐ（ｍ＋３，ｎ＋３）によって構成されている。
【０００５】
ユニット間の画素間隔（例えば、ユニットｕ（ｖ，ｗ）の画素ｐ（ｍ＋１，ｎ）とユニットｕ（ｖ＋１，ｗ）の画素ｐ（ｍ＋２，ｎ）の間隔、ユニットｕ（ｖ，ｗ）の画素ｐ（ｍ＋１，ｎ＋１）とユニットｕ（ｖ，ｗ＋１）の画素ｐ（ｍ＋１，ｎ＋２）の間隔など）は、ユニット内の画素間隔（例えば、画素ｐ（ｍ，ｎ）とｐ（ｍ＋１，ｎ）の間隔、画素ｐ（ｍ＋１，ｎ）とｐ（ｍ＋１，ｎ＋１）の間隔など）よりも広くなっている。
［画素ｐの構成］
図８は従来の液晶表示装置においての画素ｐの構成図である。画素ｐは、４つの表示部ｑ（ｉ，ｊ），ｑ（ｉ＋１，ｊ），ｑ（ｉ，ｊ＋１），ｑ（ｉ＋１，ｊ＋１）に分割されている。なお、図８では、ＴＦＴ（薄膜トランジスタ）やソースラインなどの周辺回路については、省略してある。
【０００６】
表示部ｑ（ｉ，ｊ）とｑ（ｉ＋１，ｊ）、表示部ｑ（ｉ，ｊ＋１）とｑ（ｉ＋１，ｊ＋１）は、それぞれ水平方向で隣接して配置されており、表示部ｑ（ｉ，ｊ）とｑ（ｉ，ｊ＋１）、表示部ｑ（ｉ＋１，ｊ）とｑ（ｉ＋１，ｊ＋１）は、それぞれ垂直方向で隣接して配置されている。従って、表示部ｑ（ｉ，ｊ）とｑ（ｉ＋１，ｊ＋１）、表示部ｑ（ｉ＋１，ｊ）とｑ（ｉ，ｊ＋１）は、それぞれ対角位置に配置されている。
［表示部ｑの構成］
表示部ｑ（ｉ，ｊ）には、透明電極ｅｒ（ｉ，ｊ），ｅｇ（ｉ，ｊ），ｅｂ（ｉ，ｊ）が設けられている。同様に、表示部ｑ（ｉ＋１，ｊ）には、透明電極ｅｒ（ｉ＋１，ｊ），ｅｇ（ｉ＋１，ｊ），ｅｂ（ｉ＋１，ｊ）が設けられており、表示部ｑ（ｉ，ｊ＋１）には、透明電極ｅｒ（ｉ，ｊ＋１），ｅｇ（ｉ，ｊ＋１），ｅｂ（ｉ，ｊ＋１）が設けられており、表示部ｑ（ｉ＋１，ｊ＋１）には、透明電極ｅｒ（ｉ＋１，ｊ＋１），ｅｇ（ｉ＋１，ｊ＋１），ｅｂ（ｉ＋１，ｊ＋１）が設けられている。
【０００７】
透明電極ｅｒ（ｉ，ｊ），ｅｒ（ｉ＋１，ｊ），ｅｒ（ｉ，ｊ＋１），ｅｒ（ｉ＋１，ｊ＋１）の配置領域は、Ｒ表示領域であり、透明電極ｅｇ（ｉ，ｊ），ｅｇ（ｉ＋１，ｊ），ｅｇ（ｉ，ｊ＋１），ｅｇ（ｉ＋１，ｊ＋１）の配置領域は、Ｇ表示領域であり、透明電極ｅｂ（ｉ，ｊ），ｅｂ（ｉ＋１，ｊ），ｅｂ（ｉ，ｊ＋１），Ｅｂ（ｉ＋１，ｊ＋１）の配置領域は、Ｂ表示領域である。
【０００８】
この従来の画素Ｐでは、表示部ｑ（ｉ，ｊ）およびその対角位置に配置された表示部ｑ（ｉ＋１，ｊ＋１）は、それぞれ水平方向に長い（横長の）Ｒ表示領域，Ｇ表示領域，Ｂ表示領域に３分割されている。これに対し、表示部ｑ（ｉ＋１，ｊ）およびその対角位置に配置された表示部ｑ（ｉ，ｊ＋１）は、それぞれ垂直方向に長い（縦長の）Ｒ表示領域，Ｇ表示領域，Ｂ表示領域に３分割されている。
【０００９】
表示部ｑ（ｉ，ｊ）およびｑ（ｉ＋１，ｊ＋１）では、中央に横長のＧ表示領域が配置され、その垂直方向上側に横長のＲ表示領域、その垂直方向下側に横長のＢ表示領域がそれぞれ配置されている。これに対し、表示部ｑ（ｉ＋１，ｊ）およびｑ（ｉ，ｊ＋１）では、中央に縦長のＧ表示領域が配置され、その水平方向左側に縦長のＲ表示領域、その水平方向右側に縦長のＢ表示領域がそれぞれ配置されている。
【００１０】
図９は上記従来の液晶表示装置においてＲのみによって単色表示したときの図であり、（ａ）はＲ表示領域のみを点灯させた画素ｐ、（ｂ）はＲのみによって単色表示した画像である。同様に、図１０は上記従来の液晶表示装置においてＧのみによって単色表示したときの図であり、（ａ）はＧ表示領域のみを点灯させた画素ｐ、（ｂ）はＧのみによって単色表示した画像である。また、図１１は上記従来の液晶表示装置においてＢのみによって単色表示したときの図であり、（ａ）はＢ表示領域のみを点灯させた画素ｐ、（ｂ）はＢのみによって単色表示した画像である。
【００１１】
【特許文献１】
特開２０００−２３１１１０号公報
【００１２】
【発明が解決しようとする課題】
しかしながら上記従来の液晶表示装置では、１画素のおいてのＲ表示領域，Ｇ表示領域，Ｂ表示領域の配置に起因して、それぞれの画素がドットに近い自然な画素表示にならないことがあり、これによって自然な画像が表示されないことがあった。
【００１３】
特に、上記従来の液晶表示装置では、図９から図１１までに示すように、Ｒ，Ｇ，Ｂのいずれかによって単色表示した画像では、それぞれの画素が、４つのＲ表示領域のみの点灯、４つのＧ表示領域のみの点灯、または４つのＢ表示領域のみの点灯によって、ドットに近い画素表示にならず、これによって画像の輪郭がギザギザになるとともに、画像の内部で点灯領域と消灯領域とが偏在し、自然な画像が得られないという課題があった。
【００１４】
本発明は、このような従来の課題を解決するためになされたものであり、ドットに近い自然な画素表示を可能にすることによって自然な画像が表示できる液晶表示装置を提供することを目的とするものである。
【００１５】
【課題を解決するための手段】
上記の課題を解決するために本発明の液晶表示装置は、それぞれの画素が複数の表示部に分割された液晶表示装置において、上記表示部は、第１の表示部と、第１の方向で上記第１の表示部に隣接して配置された第２の表示部と、上記第１の方向に対して垂直な第２の方向で上記第１の表示部に隣接して配置された第３の表示部と、上記第１の方向で上記第３の表示部に隣接するとともに上記第２の方向で上記第２の表示部に隣接して配置された第４の表示部とによって構成され、上記第１の表示部および上記第３の表示部のそれぞれは、互いに表示色が異なり、それぞれが上記第１の方向に長い領域である複数の表示領域を有し、上記第２の表示部および上記第４の表示部のそれぞれは、互いに表示色が異なり、それぞれが上記第２の方向に長い領域である複数の表示領域を有することを特徴とするものである。
【００１６】
【発明の実施の形態】
図１は本発明の実施の形態の液晶表示装置においての１６画素分（４ユニット分）の構成図である。図１において、ユニットＵ（ｖ，ｗ）は、４つの画素Ｐ（ｍ，ｎ），Ｐ（ｍ＋１，ｎ），Ｐ（ｍ，ｎ＋１），Ｐ（ｍ＋１，ｎ＋１）によって構成されている。同様に、ユニットＵ（ｖ＋１，ｗ）は、４つの画素Ｐ（ｍ＋２，ｎ），Ｐ（ｍ＋３，ｎ），Ｐ（ｍ＋２，ｎ＋１），Ｐ（ｍ＋３，ｎ＋１）によって構成され、ユニットＵ（ｖ，ｗ＋１）は、４つの画素Ｐ（ｍ，ｎ＋２），Ｐ（ｍ＋１，ｎ＋２），Ｐ（ｍ，ｎ＋３），Ｐ（ｍ＋１，ｎ＋３）によって構成され、ユニットＵ（ｖ＋１，ｗ＋１）は、４つの画素Ｐ（ｍ＋２，ｎ＋２），Ｐ（ｍ＋３，ｎ＋２），Ｐ（ｍ＋２，ｎ＋３），Ｐ（ｍ＋３，ｎ＋３）によって構成されている。
【００１７】
ユニットＵ（ｖ，ｗ）とＵ（ｖ＋１，ｗ）の間隔、ユニットＵ（ｖ，ｗ）とＵ（ｖ，ｗ＋１）の間隔、ユニットＵ（ｖ＋１，ｗ）とＵ（ｖ＋１，ｗ＋１）の間隔、およびユニットＵ（ｖ，ｗ＋１）とＵ（ｖ＋１，ｗ＋１）の間隔は、それぞれ例えば６００［μｍ］である。
【００１８】
また、ユニットＵ（ｖ，ｗ）内おいて、画素Ｐ（ｍ，ｎ）とＰ（ｎ，ｎ＋１）の間隔、画素ｐ（ｍ，ｎ）とＰ（ｍ＋１，ｎ）の間隔、画素Ｐ（ｍ＋１，ｎ）とＰ（ｍ＋１，ｎ＋１）の間隔、および画素Ｐ（ｍ，ｎ＋１）とＰ（ｍ＋１，ｎ＋１）の間隔は、それぞれ例えば１２０［μｍ］であり、ユニット間の画素間隔（例えば６００［μｍ］）よりも狭くなっている。その他のユニットＵ（ｖ＋１，ｗ），Ｕ（ｖ，ｗ＋１），Ｕ（ｖ＋１，ｗ＋１）についても同様である。
［ユニットＵの構成］
図２は本発明の実施の形態の液晶表示装置においてのユニットＵの構成図である。図２のユニットＵにおいて、画素Ｐ（ｍ，ｎ）とＰ（ｍ＋１，ｎ）、画素Ｐ（ｍ，ｎ＋１）とＰ（ｍ＋１，ｎ＋１）は、それぞれ水平方向に隣接および対向して配置されており、画素Ｐ（ｍ，ｎ）とＰ（ｍ，ｎ＋１）、画素Ｐ（ｍ＋１，ｎ）とＰ（ｍ＋１，ｎ＋１）は、それぞれ垂直方向に隣接および対向して配置されている。従って、画素Ｐ（ｍ，ｎ）とＰ（ｍ＋１，ｎ＋１）、画素Ｐ（ｍ＋１，ｎ）とＰ（ｍ，ｎ＋１）は、それぞれ対角位置に配置されている。
【００１９】
ユニットＵには、ソースラインＳ１ｒ（ｍ），Ｓ１ｇ（ｍ），Ｓ１ｂ（ｍ），Ｓ２ｒ（ｍ），Ｓ２ｇ（ｍ），Ｓ２ｂ（ｍ），Ｓ１ｒ（ｍ＋１），Ｓ１ｇ（ｍ＋１），Ｓ１ｂ（ｍ＋１），Ｓ２ｒ（ｍ＋１），Ｓ２ｇ（ｍ＋１），Ｓ２ｂ（ｍ＋１）と、ゲートラインＧ１（ｍ），Ｇ２（ｍ），Ｇ１（ｍ＋１），Ｇ２（ｍ＋１）と、コモンラインＣ（ｍ），Ｃ（ｍ＋１）が設けられている。
【００２０】
画素Ｐ（ｍ，ｎ）は、４つの表示部Ｑ（ｉ，ｊ），Ｑ（ｉ＋１，ｊ），Ｑ（ｉ，ｊ＋１），Ｑ（ｉ＋１，ｊ＋１）に分割されている。同様に、画素Ｐ（ｍ＋１，ｎ）は、４つの表示部Ｑ（ｉ＋２，ｊ），Ｑ（ｉ＋３，ｊ），Ｑ（ｉ＋２，ｊ＋１），Ｑ（ｉ＋３，ｊ＋１）に分割され、画素Ｐ（ｍ，ｎ＋１）は、４つの表示部Ｑ（ｉ，ｊ＋２），Ｑ（ｉ＋１，ｊ＋２），Ｑ（ｉ，ｊ＋３），Ｑ（ｉ＋１，ｊ＋３）に分割され、画素Ｐ（ｍ＋１，ｎ＋１）は、４つの表示部Ｑ（ｉ＋２，ｊ＋２），Ｑ（ｉ＋３，ｊ＋２），Ｑ（ｉ＋２，ｊ＋３），Ｑ（ｉ＋３，ｊ＋３）に分割されている。
［画素Ｐの構成］
図３は本発明の実施の形態の液晶表示装置においての画素Ｐの構成図である。図３の画素Ｐにおいて、表示部Ｑ（ｉ，ｊ）とＱ（ｉ＋１，ｊ）、表示部Ｑ（ｉ，ｊ＋１）とＱ（ｉ＋１，ｊ＋１）は、それぞれ水平方向に隣接および対向して配置されており、表示部Ｑ（ｉ，ｊ）とＱ（ｉ，ｊ＋１）、表示部Ｑ（ｉ＋１，ｊ）とＱ（ｉ＋１，ｊ＋１）は、それぞれ垂直方向に隣接および対向して配置されている。従って、表示部Ｑ（ｉ，ｊ）とＱ（ｉ＋１，ｊ＋１）、表示部Ｑ（ｉ＋１，ｊ）とＱ（ｉ，ｊ＋１）は、それぞれ対角位置に配置されている。
【００２１】
画素Ｐには、透明電極Ｅｒ（ｉ，ｊ），Ｅｇ（ｉ，ｊ），Ｅｂ（ｉ，ｊ），Ｅｒ（ｉ＋１，ｊ），Ｅｇ（ｉ＋１，ｊ），Ｅｂ（ｉ＋１，ｊ），Ｅｒ（ｉ，ｊ＋１），Ｅｇ（ｉ，ｊ＋１），Ｅｂ（ｉ，ｊ＋１），Ｅｒ（ｉ＋１，ｊ＋１），Ｅｇ（ｉ＋１，ｊ＋１），Ｅｂ（ｉ＋１，ｊ＋１）と、スイッチトランジスタＴｒ（ｉ，ｊ），Ｔｇ（ｉ，ｊ），Ｔｂ（ｉ，ｊ），Ｔｒ（ｉ＋１，ｊ），Ｔｇ（ｉ＋１，ｊ），Ｔｂ（ｉ＋１，ｊ），Ｔｒ（ｉ，ｊ＋１），Ｔｇ（ｉ，ｊ＋１），Ｔｂ（ｉ，ｊ＋１），Ｔｒ（ｉ＋１，ｊ＋１），Ｔｇ（ｉ＋１，ｊ＋１），Ｔｂ（ｉ＋１，ｊ＋１）と、ソースラインＳ１ｒ，Ｓ１ｇ，Ｓ１ｂ，Ｓ２ｒ，Ｓ２ｇ，Ｓ２ｂと、ゲートラインＧ１，Ｇ２と、コモンラインＣ（コモン電極Ｃ（ｉ，ｊ），Ｃ（ｉ＋１，ｊ），Ｃ（ｉ，ｊ＋１），Ｃ（ｉ＋１，ｊ＋１）を含む）とが設けられている。
［表示部Ｑの構成］
表示部Ｑ（ｉ，ｊ）には、透明電極Ｅｒ（ｉ，ｊ），Ｅｇ（ｉ，ｊ），Ｅｂ（ｉ，ｊ）およびコモン電極Ｃ（ｉ，ｊ）が設けられている。同様に、表示部Ｑ（ｉ＋１，ｊ）には、透明電極Ｅｒ（ｉ＋１，ｊ），Ｅｇ（ｉ＋１，ｊ），Ｅｂ（ｉ＋１，ｊ）およびコモン電極Ｃ（ｉ＋１，ｊ）が設けられており、表示部Ｑ（ｉ，ｊ＋１）には、透明電極Ｅｒ（ｉ，ｊ＋１），Ｅｇ（ｉ，ｊ＋１），Ｅｂ（ｉ，ｊ＋１）およびコモン電極Ｃ（ｉ，ｊ＋１）が設けられており、表示部Ｑ（ｉ＋１，ｊ＋１）には、透明電極Ｅｒ（ｉ＋１，ｊ＋１），Ｅｇ（ｉ＋１，ｊ＋１），Ｅｂ（ｉ＋１，ｊ＋１）およびコモン電極Ｃ（ｉ＋１，ｊ＋１）が設けられている。
【００２２】
透明電極Ｅｒ（ｉ，ｊ），Ｅｇ（ｉ，ｊ），Ｅｂ（ｉ，ｊ），Ｅｒ（ｉ＋１，ｊ），Ｅｇ（ｉ＋１，ｊ），Ｅｂ（ｉ＋１，ｊ），Ｅｒ（ｉ，ｊ＋１），Ｅｇ（ｉ，ｊ＋１），Ｅｂ（ｉ，ｊ＋１），Ｅｒ（ｉ＋１，ｊ＋１），Ｅｇ（ｉ＋１，ｊ＋１），Ｅｂ（ｉ＋１，ｊ＋１）は、液晶の配向を制御する電極であって、液晶を誘電体として液晶容量を構成する。
【００２３】
透明電極Ｅｒ（ｉ，ｊ），Ｅｒ（ｉ＋１，ｊ），Ｅｒ（ｉ，ｊ＋１），Ｅｒ（ｉ＋１，ｊ＋１）の配置領域は、Ｒ表示領域であり、透明電極Ｅｇ（ｉ，ｊ），Ｅｇ（ｉ＋１，ｊ），Ｅｇ（ｉ，ｊ＋１），Ｅｇ（ｉ＋１，ｊ＋１）の配置領域は、Ｇ表示領域であり、透明電極Ｅｂ（ｉ，ｊ），Ｅｂ（ｉ＋１，ｊ），Ｅｂ（ｉ，ｊ＋１），Ｅｂ（ｉ＋１，ｊ＋１）の配置領域は、Ｂ表示領域である。
【００２４】
この実施の形態の画素Ｐでは、表示部Ｑ（ｉ，ｊ）およびその垂直方向上側に配置された表示部Ｑ（ｉ，ｊ＋１）は、それぞれ水平方向に長い（横長の）Ｒ表示領域，Ｇ表示領域，Ｂ表示領域に３分割されている。これに対し、表示部Ｑ（ｉ＋１，ｊ）およびその垂直方向上側に配置された表示部Ｑ（ｉ＋１，ｊ＋１）は、それぞれ垂直方向に長い（縦長の）Ｒ表示領域，Ｇ表示領域，Ｂ表示領域に３分割されている。
【００２５】
表示部Ｑ（ｉ，ｊ）およびＱ（ｉ，ｊ＋１）では、中央に横長のＧ表示領域が配置され、その垂直方向上側に横長のＲ表示領域、その垂直方向下側に横長のＢ表示領域がそれぞれ配置されている。これに対し、表示部Ｑ（ｉ＋１，ｊ）およびＱ（ｉ＋１，ｊ＋１）では、中央に縦長のＧ表示領域が配置され、その水平方向左側に縦長のＲ表示領域、その水平方向右側に縦長のＢ表示領域がそれぞれ配置されている。
【００２６】
このように、画素Ｐの左側半分の表示部Ｑ（ｉ，ｊ）およびＱ（ｉ，ｊ＋１）の領域に、６つの横長のＲ，Ｇ，Ｂ表示領域が全て配置され、画素Ｐの右側半分の表示部Ｑ（ｉ＋１，ｊ）およびＱ（ｉ＋１，ｊ＋１）の領域に、６つの縦長のＲ，Ｇ，Ｂ表示領域が全て配置されている。
【００２７】
この実施の形態の画素Ｐは、上記従来の画素ｐ（図８参照）において、縦長のＲ，Ｇ，Ｂ表示領域に３分割されていた表示部ｑ（ｉ，ｊ＋１）を横長のＲ，Ｇ，Ｂ表示領域に３分割して表示部Ｑ（ｉ，ｊ＋１）とし、横長のＲ，Ｇ，Ｂ表示領域に３分割されていた表示部ｑ（ｉ＋１，ｊ＋１）を縦長のＲ，Ｇ，Ｂ表示領域に３分割して表示部Ｑ（ｉ＋１，ｊ＋１）としたものである。
【００２８】
従って、この実施の形態の透明電極Ｅｒ（ｉ，ｊ＋１），Ｅｇ（ｉ，ｊ＋１），Ｅｂ（ｉ，ｊ＋１）は、上記従来の透明電極ｅｒ（ｉ，ｊ＋１），ｅｇ（ｉ，ｊ＋１），ｅｂ（ｉ，ｊ＋１）（図８参照）を横長に配置したものであり、
この実施の形態の透明電極Ｅｒ（ｉ＋１，ｊ＋１），Ｅｇ（ｉ＋１，ｊ＋１），Ｅｂ（ｉ＋１，ｊ＋１）は、上記従来の透明電極ｅｒ（ｉ＋１，ｊ＋１），ｅｇ（ｉ＋１，ｊ＋１），ｅｂ（ｉ＋１，ｊ＋１）（図８参照）を縦長に配置したものである。
［周辺回路の構成および配置］
コモン電極Ｃ（ｉ，ｊ）は、横長の透明電極Ｅｒ（ｉ，ｊ），Ｅｇ（ｉ，ｊ），Ｅｂ（ｉ，ｊ）の水平方向右側（表示部Ｑ（ｉ＋１，ｊ）側）の電極端にオーバーラップまたはアンダーラップして設けられ、これらの透明電極との間で、それぞれ補助容量を構成する。同様に、コモン電極Ｃ（ｉ＋１，ｊ）は、縦長の透明電極Ｅｒ（ｉ＋１，ｊ），Ｅｇ（ｉ＋１，ｊ），Ｅｂ（ｉ＋１，ｊ）の垂直方向上側（表示部Ｑ（ｉ＋１，ｊ＋１）側）の電極端にオーバーラップまたはアンダーラップして設けられ、これらの透明電極との間で、それぞれ補助容量を構成する。また、コモン電極Ｃ（ｉ，ｊ＋１）は、横長の透明電極Ｅｒ（ｉ，ｊ＋１），Ｅｇ（ｉ，ｊ＋１），Ｅｂ（ｉ，ｊ＋１）の水平方向右側（表示部Ｑ（ｉ＋１，ｊ＋１）側）の電極端にオーバーラップまたはアンダーラップして設けられ、これらの透明電極との間で、それぞれ補助容量を構成する。また、コモン電極Ｃ（ｉ＋１，ｊ＋１）は、縦長の透明電極Ｅｒ（ｉ＋１，ｊ＋１），Ｅｇ（ｉ＋１，ｊ＋１），Ｅｂ（ｉ＋１，ｊ＋１）の垂直方向下側（表示部Ｑ（ｉ＋１，ｊ）側）にオーバーラップまたはアンダーラップして設けられ、これらの透明電極との間で、それぞれ補助容量を構成する。
【００２９】
スイッチトランジスタＴｒ（ｉ，ｊ），Ｔｇ（ｉ，ｊ），Ｔｂ（ｉ，ｊ），Ｔｒ（ｉ＋１，ｊ），Ｔｇ（ｉ＋１，ｊ），Ｔｂ（ｉ＋１，ｊ），Ｔｒ（ｉ，ｊ＋１），Ｔｇ（ｉ，ｊ＋１），Ｔｂ（ｉ，ｊ＋１），Ｔｒ（ｉ＋１，ｊ＋１），Ｔｇ（ｉ＋１，ｊ＋１），Ｔｂ（ｉ＋１，ｊ＋１）は、それぞれ透明電極Ｅｒ（ｉ，ｊ），Ｅｇ（ｉ，ｊ），Ｅｂ（ｉ，ｊ），Ｅｒ（ｉ＋１，ｊ），Ｅｇ（ｉ＋１，ｊ），Ｅｂ（ｉ＋１，ｊ），Ｅｒ（ｉ，ｊ＋１），Ｅｇ（ｉ，ｊ＋１），Ｅｂ（ｉ，ｊ＋１），Ｅｒ（ｉ＋１，ｊ＋１），Ｅｇ（ｉ＋１，ｊ＋１），Ｅｂ（ｉ＋１，ｊ＋１）を駆動する。
【００３０】
スイッチトランジスタＴｒ（ｉ，ｊ），Ｔｇ（ｉ，ｊ），Ｔｂ（ｉ，ｊ），Ｔｒ（ｉ＋１，ｊ），Ｔｇ（ｉ＋１，ｊ），Ｔｂ（ｉ＋１，ｊ）のゲート電極は、ゲートラインＧ１に接続している。また、スイッチトランジスタＴｒ（ｉ，ｊ＋１），Ｔｇ（ｉ，ｊ＋１），Ｔｂ（ｉ，ｊ＋１），Ｔｒ（ｉ＋１，ｊ＋１），Ｔｇ（ｉ＋１，ｊ＋１），Ｔｂ（ｉ＋１，ｊ＋１）のゲート電極は、ゲートラインＧ２に接続している。これらのゲートラインＧ１およびＧ２には、同じ走査信号が入力される。
【００３１】
スイッチトランジスタＴｒ（ｉ，ｊ）およびＴｒ（ｉ，ｊ＋１）のソース電極は、ソースラインＳ１ｒに接続しており、スイッチトランジスタＴｇ（ｉ，ｊ）およびＴｇ（ｉ，ｊ＋１）のソース電極は、ソースラインＳ１ｇに接続しており、スイッチトランジスタＴｂ（ｉ，ｊ）およびＴｂ（ｉ，ｊ＋１）のソース電極は、ソースラインＳ１ｂに接続している。また、スイッチトランジスタＴｒ（ｉ＋１，ｊ）およびＴｒ（ｉ＋１，ｊ＋１）のソース電極は、ソースラインＳ２ｒに接続しており、スイッチトランジスタＴｇ（ｉ＋１，ｊ）およびＴｇ（ｉ＋１，ｊ＋１）のソース電極は、ソースラインＳ２ｇに接続しており、スイッチトランジスタＴｂ（ｉ＋１，ｊ）およびＴｂ（ｉ＋１，ｊ＋１）のソース電極は、ソースラインＳ２ｂに接続している。ソースラインＳ１ｒおよびＳ２ｒには、同じＲ映像信号が入力され、ソースラインＳ１ｇおよびＳ２ｇには、同じＧ映像信号が入力され、ソースラインＳ１ｂおよびＳ２ｂには、同じＢ映像信号が入力される。
【００３２】
スイッチトランジスタＴｒ（ｉ，ｊ），Ｔｇ（ｉ，ｊ），Ｔｂ（ｉ，ｊ），Ｔｒ（ｉ＋１，ｊ），Ｔｇ（ｉ＋１，ｊ），Ｔｂ（ｉ＋１，ｊ），Ｔｒ（ｉ，ｊ＋１），Ｔｇ（ｉ，ｊ＋１），Ｔｂ（ｉ，ｊ＋１），Ｔｒ（ｉ＋１，ｊ＋１），Ｔｇ（ｉ＋１，ｊ＋１），Ｔｂ（ｉ＋１，ｊ＋１）のドレイン電極は、それぞれ透明電極Ｅｒ（ｉ，ｊ），Ｅｇ（ｉ，ｊ），Ｅｂ（ｉ，ｊ），Ｅｒ（ｉ＋１，ｊ），Ｅｇ（ｉ＋１，ｊ），Ｅｂ（ｉ＋１，ｊ），Ｅｒ（ｉ，ｊ＋１），Ｅｇ（ｉ，ｊ＋１），Ｅｂ（ｉ，ｊ＋１），Ｅｒ（ｉ＋１，ｊ＋１），Ｅｇ（ｉ＋１，ｊ＋１），Ｅｂ（ｉ＋１，ｊ＋１）に接続されている。
【００３３】
このように、スイッチトランジスタＴｒ（ｉ，ｊ），Ｔｇ（ｉ，ｊ），Ｔｂ（ｉ，ｊ），Ｔｒ（ｉ＋１，ｊ），Ｔｇ（ｉ＋１，ｊ），Ｔｂ（ｉ＋１，ｊ），Ｔｒ（ｉ，ｊ＋１），Ｔｇ（ｉ，ｊ＋１），Ｔｂ（ｉ，ｊ＋１），Ｔｒ（ｉ＋１，ｊ＋１），Ｔｇ（ｉ＋１，ｊ＋１），Ｔｂ（ｉ＋１，ｊ＋１）は、全て画素Ｐの画素領域の周辺にのみ配置されており、表示部Ｑ（ｉ，ｊ），Ｑ（ｉ＋１，ｊ），Ｑ（ｉ，ｊ＋１），Ｑ（ｉ＋１，ｊ＋１）の間には配置されていない。
【００３４】
また、ゲートラインＧ１およびＧ２は、画素Ｐの画素領域の周辺にのみ配置されて水平方向に延在しており、表示部Ｑ（ｉ，ｊ），Ｑ（ｉ＋１，ｊ），Ｑ（ｉ，ｊ＋１），Ｑ（ｉ＋１，ｊ＋１）の間には配置されていない。
【００３５】
また、ソースラインＳ１ｒ，Ｓ１ｇ，Ｓ１ｂおよびＳ２ｒ，Ｓ２ｇ，Ｓ２ｂは、画素Ｐの画素領域の周辺にのみ配置されて垂直方向に延在しており、表示部Ｑ（ｉ，ｊ），Ｑ（ｉ＋１，ｊ），Ｑ（ｉ，ｊ＋１），Ｑ（ｉ＋１，ｊ＋１）の間には配置されていない。
【００３６】
図４は本発明の実施の形態の液晶表示装置においてＲのみによって単色表示したときの図であり、（ａ）はＲ表示領域のみを点灯させた画素Ｐ、（ｂ）はＲのみによって単色表示した画像である。同様に、図５は本発明の実施の形態の液晶表示装置においてＧのみによって単色表示したときの図であり、（ａ）はＧ表示領域のみを点灯させた画素Ｐ、（ｂ）はＧのみによって単色表示した画像である。また、図６は本発明の実施の形態の液晶表示装置においてＢのみによって単色表示したときの図であり、（ａ）はＢ表示領域のみを点灯させた画素Ｐ、（ｂ）はＢのみによって単色表示した画像である。
【００３７】
上記従来の液晶表示装置の画素ｐ（図８参照）では、横長のＲ，Ｇ，Ｂ表示領域が対角位置に配置され、従って縦長のＲ，Ｇ，Ｂ表示領域も対角位置に配置されている。これに対し、本発明の実施の形態では、画素Ｐの左側半分に横長のＲ，Ｇ，Ｂ表示領域を全て配置し、画素Ｐの右側半分に縦長のＲ，Ｇ，Ｂ表示領域を全て配置されている。
【００３８】
上記従来の液晶表示装置において単色表示した図９から図１１までの画像と、この実施の形態の液晶表示装置において単色表示した図４から図６までの画像とを比較すれば判る通り、この実施の形態の画素Ｐでは、従来の画素ｐよりもドットに近い自然な画素表示が可能となる。これによって、この実施の形態の液晶表示装置では、上記従来の液晶表示装置よりも、画像の輪郭のギザギザを緩和できるとともに、画像の内部での点灯領域と消灯領域の偏在を緩和でき、自然な画像を表示できる。
【００３９】
さらに、この実施の形態では、表示部Ｑ（ｉ，ｊ）とＱ（ｉ＋１，ｊ）の間、表示部Ｑ（ｉ，ｊ）とＱ（ｉ，ｊ＋１）の間、表示部Ｑ（ｉ＋１，ｊ）とＱ（ｉ＋１，ｊ＋１）の間、および表示部Ｑ（ｉ，ｊ＋１）とＱ（ｉ＋１，ｊ＋１）の間には、コモンラインＣのコモン電極Ｃ（ｉ，ｊ），Ｃ（ｉ＋１，ｊ），Ｃ（ｉ，ｊ＋１），Ｃ（ｉ＋１，ｊ＋１）のみが設けられており、その他の周辺回路は設けられていないので、表示部の間に上記その他の周辺回路を設けたものよりも、表示部Ｑ（ｉ，ｊ），Ｑ（ｉ＋１，ｊ），Ｑ（ｉ，ｊ＋１），Ｑ（ｉ＋１，ｊ＋１）の間隔を狭くすることができる。これによっても、ドットに近い自然な画素表示が可能になる。
【００４０】
以上のように本発明の実施の形態によれば、画素Ｐの左側半分に横長のＲ，Ｇ，Ｂ表示領域を全て配置し、画素Ｐの右側半分に縦長のＲ，Ｇ，Ｂ表示領域を全て配置したことにより、ドットに近い自然な画素表示が可能になり、これによって単色表示をしたときにも輪郭が滑らかな自然な画像が得られる。
【００４１】
なお、本発明の液晶表示装置は、第１の表示部と、第１の方向で上記第１の表示部に隣接して配置された第２の表示部と、上記第１の方向に対して垂直な第２の方向で上記第１の表示部に隣接して配置された第３の表示部と、上記第１の方向で上記第３の表示部に隣接するとともに上記第２の方向で上記第２の表示部に隣接して配置された第４の表示部とを備え、上記第１の表示部および上記第３の表示部のそれぞれが、互いに表示色が異なり、それぞれが上記第１の方向に長い領域である複数の表示領域を有し、上記第２の表示部および上記第４の表示部のそれぞれが、互いに表示色が異なり、それぞれが上記第２の方向に長い領域である複数の表示領域を有するものである。
【００４２】
そして、上記実施の形態の液晶表示装置は、上記第１の方向を水平方向、上記第２の方向を垂直方向、上記第１の表示部を表示部Ｑ（ｉ，ｊ）、上記第２の表示部を表示部Ｑ（ｉ＋１，ｊ）、上記第３の表示部を表示部Ｑ（ｉ，ｊ＋１）、上記第４の表示部を表示部Ｑ（ｉ＋１，ｊ＋１）としたものである。
【００４３】
上記実施の形態の構成の他に、画素Ｐの右側半分に横長のＲ，Ｇ，Ｂ表示領域を全て配置し、画素Ｐの左側半分に縦長のＲ，Ｇ，Ｂ表示領域を配置した構成や、上記第１の方向を垂直方向、上記第２の方向を水平方向として、画素Ｐの上側半分に横長のＲ，Ｇ，Ｂ表示領域を全て配置し、画素Ｐの下側半分に縦長のＲ，Ｇ，Ｂ表示領域を配置した構成としても、上記実施の形態と同様の効果が得られる。
【００４４】
【発明の効果】
以上説明したように本発明によれば、ドットに近い自然な画素表示が可能になり、これによって単色表示をしたときにも輪郭が滑らかな自然な画像が得られるという効果がある。
【図面の簡単な説明】
【図１】本発明の実施の形態の液晶表示装置においての１６画素分（４ユニット分）の構成図である。
【図２】本発明の実施の形態の液晶表示装置においてのユニットの構成図である。
【図３】本発明の実施の形態の液晶表示装置においての画素の構成図である。
【図４】本発明の実施の形態の液晶表示装置において赤色のみによって単色表示したときの図である。
【図５】本発明の実施の形態の液晶表示装置において緑色のみによって単色表示したときの図である。
【図６】本発明の実施の形態の液晶表示装置において青色のみによって単色表示したときの図である。
【図７】従来の液晶表示装置においての１６画素分（４ユニット分）の構成図である。
【図８】従来の液晶表示装置においての画素の構成図である。
【図９】従来の液晶表示装置において赤色のみによって単色表示したときの図である。
【図１０】従来の液晶表示装置において緑色のみによって単色表示したときの図である。
【図１１】従来の液晶表示装置において青色のみによって単色表示したときの図である。
【符号の説明】
Ｐ　画素
Ｑ　表示部
Ｅｒ，Ｅｇ，Ｅｂ　透明電極
【図１】
2004117532.tif 000003
【図２】
2004117532.tif 000004
【図３】
2004117532.tif 000005
【図４】
2004117532.tif 000006
【図５】
2004117532.tif 000007
【図６】
2004117532.tif 000008
【図７】
2004117532.tif 000009
【図８】
2004117532.tif 000010
【図９】
2004117532.tif 000011
【図１０】
2004117532.tif 000012
【図１１】
2004117532.tif 000013